(57)【要約】【課題】弾性体を封入したスパウト付き収容体において、封入される弾性に対して確実に押圧力を付与することができるスパウト付き収容体を提供する。【解決手段】複数のシート材の間にスパウトを溶着したスパウト付き収容体において、スパウト１０は、シート材が溶着されるように一対の溶着面１１を具備した本体１２を有している。そして、本体１２には、注出方向に沿って延出する連通孔１３と、この連通孔１３の中間部分に弾性体５０を収容する収容部１５が形成されており、連通孔１３には、雌ネジ部１６が形成され、この雌ネジ部１６にビス２０を螺入して弾性体５０を押圧変形させることで、収容部１５を規定する壁部１５ａから弾性体５０に押圧力を作用させる。【選択図】    図４
2006044790.tif 000002
【特許請求の範囲】
【請求項１】
複数のシート材によって収容体を形成し、前記複数のシート材の間にスパウトを溶着したスパウト付き収容体において、
前記スパウトは、前記シート材が溶着されるように一対の溶着面を具備した本体を有しており、
前記本体には、注出方向に沿って延出する連通孔と、この連通孔の中間部分に弾性体を収容する収容部が形成されており、
前記連通孔には、雌ネジ部が形成され、この雌ネジ部にビスを螺入して前記収容部に収容された弾性体を押圧変形させることで、前記収容部を規定する壁部から前記弾性体に押圧力を作用させることを特徴とするスパウト付き収容体。
【請求項２】
前記本体は、略平坦な露出面を備えており、前記ビスは、前記雌ネジ部に螺入された際に、前記露出面と略面一になるとともに、前記弾性体との間で薄肉厚部を有することを特徴とする請求項１に記載のスパウト付き収容体。
【請求項３】
前記連通孔には、収容体の内部空間との間で、前記収容部を封止する封止壁が形成されていることを特徴とする請求項１又は２に記載のスパウト付き収容体。
【請求項４】
前記露出面には、前記複数のシート材を溶着する際、本体を保持するための穴部が形成されていることを特徴とする請求項２又は３に記載のスパウト付き収容体。
【請求項５】
前記本体と前記ビスの少なくともいずれか一方には、前記ビスを本体に形成された雌ネジ部に螺入した後、前記ビスを開放方向に螺出した際、形状変化させる変化部が形成されていることを特徴とする請求項１から４のいずれか１項に記載のスパウト付き収容体。
【請求項６】
前記本体には、突部が周方向に亘って所定間隔おいて形成されており、
前記変化部は、前記ビスの外周に突出形成され、前記ビスを開放方向に螺出した際、前記本体に形成された突部によって破損される突片であることを特徴とする請求項５に記載のスパウト付き収容体。
【発明の詳細な説明】
【技術分野】
【０００１】
本発明は、例えば合成樹脂製の収容体の開口部に、収容物の出し入れを行なうスパウトを取着したスパウト付き収容体に関する。
【背景技術】
【０００２】
従来、合成樹脂シートのような比較的柔軟な材質で形成された収容体に、その内部の収容物を取り出すべく、スパウトを取着したスパウト付き収容体が知られている。このスパウトは、通常、合成樹脂等によって一体形成されており、上記した合成樹脂シート間に配置し、熱溶着することで挟着されている。このようなスパウト付き収容体は、様々な分野で用いられており、それに応じて、スパウトは多様な構成が開発されている。
【０００３】
例えば、スパウト付き収容体の使用態様として、スパウトの口部に吸出し用の針を刺し込んで収容物を注出し、これを必要個所に供給するものがある。この場合、スパウトの口部には、収容物を封止すると共に、複数回の使用が可能となるように、針を刺し込む弾性体（ゴム）が封入されている。
【０００４】
ところで、このような構成では、弾性体は、針が刺し込まれる中心領域に向かって、かなり強い押圧力を有していなければならない。すなわち、この押圧力が弱いと、刺し込まれた針と弾性体との間に隙間が生じたり、或いは、針が引き抜かれた後に、その針の跡がそのまま残って通路が生じてしまい、内容物が漏れ出しやすくなってしまうからである。
【０００５】
このような問題を解決するために、例えば、特許文献１には、スパウトの口部に円板状の弾性体を封入するとともに、この口部に対して、封入された弾性体を押圧する押圧部が形成された冠体を装着するスパウトが開示されている。前記口部内に封入された円板状の弾性体は、装着される冠体の押圧部によって押圧されることで、口部の内周壁に付勢され、これにより中心方向に向かう押圧力が与えられる。また、例えば、特許文献２には、合成樹脂シートが溶着される溶着部に弾性体を収容する収容部を形成すると共に、前記溶着部にヒンジを介して開閉可能な分割部を設けておき、前記収容部に弾性体を収容した状態で分割部を閉じることで、弾性体に押圧力を付与するスパウトが開示されている。
【特許文献１】特開平７−１８７２０１号公報
【特許文献２】特開２００３−１０４４０２号公報
【発明の開示】
【発明が解決しようとする課題】
【０００６】
上記した公知技術によれば、簡単な構成で、弾性体に対して中心に向かう押圧力を付与したスパウト付き収容体が得られる。
【０００７】
しかし、上記したいずれの公知技術も、係止部材（特許文献１の技術では冠体、特許文献２の技術では分割部）を口部や本体に係止させることで、弾性体に押圧力を作用させる構成となっている。このため、弾性体や係止部材等に作成誤差が生じていたり、或いは係止状態が充分でなかったり、係止部材の係止部分が外れるようなことがあると、弾性体に確実な押圧力が作用しなくなることが有り得る。すなわち、弾性体に対しては、常時、確実な押圧力が付与できるように構成されていることが望ましい。
【０００８】
また、上記したようなスパウトは、合成樹脂シートの溶着作業が、より簡単に行なえるように構成することが生産性の面から好ましいと考えられる。
【０００９】
本発明は、上記した問題に基づいて成されたものであり、弾性体を封入したスパウト付き収容体において、封入される弾性に対して確実に押圧力を付与することができるスパウト付き収容体を提供することを目的とする。
【課題を解決するための手段】
【００１０】
上記した課題を解決するために、請求項１に係るスパウト付き収容体は、複数のシート材によって収容体を形成し、前記複数のシート材の間にスパウトを溶着した構成において、前記スパウトは、前記シート材が溶着されるように一対の溶着面を具備した本体を有しており、前記本体には、注出方向に沿って延出する連通孔と、この連通孔の中間部分に弾性体を収容する収容部が形成されており、前記連通孔には、雌ネジ部が形成され、この雌ネジ部にビスを螺入して前記収容部に収容された弾性体を押圧変形させることで、前記収容部を規定する壁部から前記弾性体に押圧力を作用させることを特徴とする。
【００１１】
上記した構成のスパウト付き収容体によれば、収容体を溶着する前に、連通孔部分から注出方向に沿って弾性体を封入し、収容部に弾性体を保持させた後、連通孔に形成された雌ネジ部にビスを螺入する。この場合、ビスを螺入して行くに従い、ビスは収容部に保持されている弾性体に当接し、弾性体を変形させるようになる。ビスは螺合結合によって注出方向に沿って確実に移動することから、弾性体には、上方から均一で確実な押圧力が作用するようになり、収容部を規定する壁部から中心方向に向かう押圧力が作用するようになる。
【００１２】
そして、上記したように構成されるスパウトにシート材を溶着したスパウト付き収容体において、収容体内の収容物は、上記したビスの部分に注出用の針を差し込み、弾性体を貫通させて吸引することで注出される。
【００１３】
また、請求項２に係る発明においては、前記本体は、略平坦な露出面を備えており、前記ビスは、前記雌ネジ部に螺入された際に、前記露出面と略面一になるとともに、前記弾性体との間で薄肉厚部を有することを特徴とする。
【００１４】
このような構成では、スパウトの上面側（露出面側）が略平坦に形成されており、口部のような突出する部分が形成されていないことから、例えば、予め定められたケース内にスパウト付き収容体を設置する際、ケース内に口部の突出量の分だけデッドスペースが生じることがなくなる。すなわち、スパウトの露出面の高さ位置まで収容体で構成して、ケース内にデッドスペースを生じさせなくすることができるため、収容物の収容量を最大限確保することが可能になる。また、これに伴い、ケース部分のスパウト付き収容体を保持する部分の構成も簡略化されるため、その位置を、外部装置の要求に応じて、容易に変更することが可能となる。したがって、スパウトを、シート部材の側方部に溶着したり、角部に溶着する等、外部装置の要求に応じて、種々変更することが可能となる。なお、上記した露出面の「略平坦」とは、厳密に水平な状態に形成されているものが含まれ、それ以外にも、例えば、螺入されるビスの表面部が多少突出したり、窪むような構成であっても良い。
【００１５】
また、請求項３に係る発明においては、前記連通孔には、収容体の内部空間との間で、前記収容部を封止する封止壁が形成されていることを特徴とする。
【００１６】
このような構成によれば、前記封止壁によって、収容物が弾性体に接触することを防止できる。
【００１７】
また、請求項４に係る発明においては、前記露出面には、前記複数のシート材を溶着する際、本体を保持するための穴部が形成されていることを特徴とする。
【００１８】
このような構成によれば、弾性体を収容したスパウトは、本体の露出面に形成された穴部を単に治具に刺し込むことで、その状態を安定して保持することができ、容易にシート材を溶着面に溶着することが可能になる。また、上記したようなスパウトの露出面に形成される穴部は、スパウト付き収容体をケース内に設置するような場合、ケース側にピンを設けておき、このピンに、スパウトの穴部を差し込むことで、スパウト付き収容体を移動させること無く安定した状態で設置することに利用可能となる。
【００１９】
また、請求項５に係る発明においては、前記本体と前記ビスの少なくともいずれか一方には、前記ビスを本体に形成された雌ネジ部に螺入した後、前記ビスを開放方向に螺出した際、形状変化させる変化部が形成されていることを特徴とする。
【００２０】
このような構成によれば、螺入された状態にあるビスを開放しようとした場合、その開放行為が形状変化した変化部によって確認できるため、収容物に対する不正な行為が防止でき、収容物のバージン性が保証されるようになる。
【００２１】
また、請求項６に係る発明においては、前記本体には、突部が周方向に亘って所定間隔おいて形成されており、前記変化部は、前記ビスの外周に突出形成され、前記ビスを開放方向に螺出した際、前記本体に形成された突部によって破損される突片であることを特徴とする。
【００２２】
このような構成では、ビスを開放しようとすると、ビスの外周に突出形成された突片が本体に形成された突部によって破損することから、突片の形状変化によってビスが開放されたことを認識できるようになる。
【発明の効果】
【００２３】
本発明によれば、弾性体を封入したスパウト付き収容体において、封入される弾性に対して確実に押圧力を付与することが可能となる。
【発明を実施するための最良の形態】
【００２４】
以下、本発明の実施形態について、添付図面を参照して具体的に説明する。  
図１乃至図５は、本発明に係るスパウト付き収容体の一実施形態を示す図であり、図１（ａ）はスパウト付き収容体の構成を示す上面図、図１（ｂ）は側面図、図２はスパウトの斜視図、図３はスパウトの分解斜視図、図４は弾性体を封入する状態を示すスパウトの中央断面図、そして、図５は弾性体を封入した状態を示すスパウトの中央断面図である。
【００２５】
本実施形態に係るスパウト付き収容体１は、シート材２ａ、例えば、比較的安価な材料である柔軟な合成樹脂シートを複数枚準備し、これを対向配置して格子状の斜線で示す領域を熱溶着することで作成された収容体２と、その上端部分においてシート材間に挟着（熱溶着）されたスパウト１０とを備えて構成されている。
【００２６】
前記スパウト１０は、対向するシート材２ａが溶着される一対の溶着面１１を具備した本体１２を備えており、本体１２は、溶着面１１にシート材を溶着し易いように、断面略舟型形状となるように形成されている。なお、溶着面１１の形状については、平坦面で形成したり、湾曲面で構成する等、適宜変形可能である。
【００２７】
前記本体１２の中央部分には、上下方向（注出方向）に延びる連通孔１３が形成されている。この連通孔１３は、収容体に収容された収容物を取り出すためのものであり、後述するように、この連通孔１３の部分には注出用の針が差し込まれ、吸引作用を受けることで収容物が取り出されるようになっている。
【００２８】
また、この連通孔１３の中間部分には、球形の弾性体５０（ゴム）が収容される収容部１５が形成されており、弾性体５０は、連通孔１３の開口部分から封入されるようになっている。前記収容部１５は、略注出方向に沿って延出する内周面１５ａと弾性体５０の下面側に当て付き、所定の曲率で湾曲する保持壁１５ｂによって規定されている（これらが収容部を規定する壁部となる）。そして、内周面１５ａは、弾性体５０が後述するようにビスによって押圧された際、弾性体に対して中心に向かう押圧力を作用させるように、その半径は、弾性体５０の半径よりも若干小さく（０．５〜１ｍｍ程度）形成されている。
【００２９】
また、前記連通孔１３の収容部より上方位置には、押圧用のビス２０が螺入されるように、雌ネジ部１６が形成されている。前記ビス２０は、軸方向に所定の長さを有するとともに、外周に雄ネジ部２０ａが形成されており、その表面部には、螺合する際に回転操作し易いように、直径方向に延びる溝２０ｂが形成されている。すなわち、この溝２０ｂにマイナス型ドライバのような治具を差し込んで回転操作することで、ビス２０は連通孔１３に形成された雌ネジ部１６に螺入される。
【００３０】
また、前記ビス２０の裏面部には、収容部１５に封入されている球形の弾性体５０に圧接できるように、圧接面（本実施形態では半球状の内周面２０ｃ）が形成されている。すなわち、ビス２０が螺入されるに従い、弾性体５０には、内周面２０ｃから確実に下向きで均一な押圧力が作用するようになり、結果として、上記した内周面１５ａから中心方向に向かう押圧力が作用するようになる。
【００３１】
なお、本実施形態のスパウトの本体１２は、その上面側（露出面２７）が略平坦となるように形成されており、更には、前記ビス２０は、ビス２０が前記雌ネジ部１６に螺入されて弾性体５０に対して所定の押圧力を作用させた際に、その下端が連通孔１３に形成された段部１６ａに当て付いて露出面２７と略面一になるように構成されている。また、前記ビス２０は、封入されている弾性体５０との間で、薄肉厚部２０ｄ（厚さにして０．５ｍｍ程度）を形成するように構成されている。
【００３２】
このように、本実施形態の構成では、本体１２の露出面２７には、突出する口部等が形成されていないことから、シート材２ａを溶着面１１に溶着する際、容易かつ安定して溶着作業が行なえるように、ピン状に構成された治具６０（図６参照）が挿入される穴部３４が形成されている。本実施形態の穴部３４は、螺入されるビス２０の両サイドに形成されており、図６に示すように、一対の治具６０に対して挿入した際、安定して保持されるように構成されている。すなわち、治具６０に対しては、手動でスパウト１０の差し込み作業を行なうか、或いは機械的な差込工程の後、溶着装置（図示せず）の溶着部に案内して、図６の二点鎖線で示すように、各溶着面１１に対してシート材２ａを熱溶着することで、スパウト付き収容体が作成される。
【００３３】
以上のように構成されるスパウト１０、及びその連通孔１３に螺入されるビス２０は、合成樹脂を型成型することによって一体形成することが可能である。
【００３４】
上記した構成のスパウト１０によれば、収容体となるシート材２ａを溶着する前に、連通孔１３の開口部分から注出方向に沿って球形の弾性体５０を封入し、収容部１５に弾性体５０を保持させた後、連通孔１３に形成された雌ネジ部１６にビス２０を螺入する。ビス２０は、マイナス型ドライバのような治具を溝２０ｂに差し込み、回転操作することで注出方向に沿って移動（螺進）する。そして、ビス２０が螺入して行くに従い、ビスの内周面２０ｃは収容部１５に保持されている弾性体５０に当接し、弾性体５０を強制的に押圧（圧縮）して弾性変形させるようになる。この場合、ビス２０は、注出方向に沿って確実に移動することから、弾性体５０には、上方から均一で確実な押圧力が作用するようになり、収容部１５の内周面１５ａから中心方向に向かって、均一で確実な押圧力が作用するようになる。
【００３５】
そして、上記したように構成されるスパウト１０は、図６に示すように、上記した本体１２の露出面２７に形成された穴部３４を、単に治具６０に刺し込むことで、その状態を安定して保持することができるため、容易にシート材２ａを溶着面１１に溶着することが可能になる。
【００３６】
なお、収容体２内に収容される収容物は、重ね合わせたシート材２ａのいずれかの端部を未溶着にしてその部分から充填し、その後、未溶着部分を溶着することで最終製品となるスパウト付き収容体が完成される。或いは、中身が入っていないスパウト付き収容体に対し、弾性体５０に充填針を刺し込んで収容物を充填することで、最終製品となるスパウト付き収容体が完成される。後者の場合、弾性体５０は、収容部１５の形状によって、針が刺し込まれる中心領域に向かって押圧力が付与されているため、刺し込まれた針と弾性体５０との間に隙間が生じることは無く、また、針が引き抜かれた後においても、その通路を塞ぐような押圧力が作用するため、収容物の漏れが防止される。
【００３７】
また、上記した構成のスパウト付き収容体では、スパウト１０の本体１２は、露出面２７側が略平坦に形成されており、口部のような突出する部分が形成されていないため、例えば、予め定められたケース内にスパウト付き収容体を設置する際、ケース内に口部の突出量の分だけデッドスペースが生じることがなくなる。すなわち、スパウトの露出面の高さ位置まで収容体で構成して、ケース内にデッドスペースを生じさせなくすることができるため、収容物の収容量を最大限確保することが可能になる。また、これに伴い、ケース部分のスパウト付き収容体を保持する部分の構成も簡略化されるため、その位置を、外部装置の要求に応じて、容易に変更することが可能となる。このため、スパウト１０を、シート部材の側方部に溶着したり、角部に溶着する等、外部装置の要求に応じて、種々変更することが可能となる。
【００３８】
そして、上記したように構成されるスパウト付き収容体において、収容体２内の収容物は、上記したビス２０に形成されている薄肉厚部２０ｄに注出用の針を刺し込み、弾性体５０を貫通させて吸引することで注出されるようになる。すなわち、ビス２０の表面部は、薄肉厚状に形成されているため、容易に注出針を刺し込むことが可能になる。
【００３９】
図７乃至図１１は、本発明の第２の実施形態を示す図であり、図７はスパウトの分解斜視図、図８は弾性体を封入する状態を示すスパウトの中央断面図、図９は弾性体を封入した状態を示すスパウトの中央断面図、図１０は、ビスを螺入した状態を示すスパウトの斜視図、そして、図１１は、変化部が折損した状態を示す平面図である。以下、本発明の第２の実施形態について説明するが、上記した実施形態と同様な構成部材については、同一の参照符号を付して、その詳細な説明については省略する。
【００４０】
本実施形態では、スパウト１０の本体１２に螺入されるビス２０に、ビス２０を本体１２に形成された雌ネジ部１６に螺入した後、ビス２０を開放方向に螺出した際、形状変化させる変化部が形成されている。
【００４１】
すなわち、前記本体１２には、前記雌ネジ部１６が形成されている部分よりも上方位置が径方向に亘って拡径されており、この拡径された部分の内周壁に、突部４０が周方向に亘って所定間隔おいて形成されている。この突部４０には、周方向に沿って傾斜する傾斜面４０ａと、径方向に延びる停止壁４０ｂとを備えており、螺入されるビス２０に形成された突片２０ｅと当接するようになっている。
【００４２】
前記ビス２０の雄ネジ部２０ａの上方位置には、周方向に沿って、所定の間隔をおいて変化部となる突片２０ｅが形成されている。これら突片２０ｅ間の外周２０ｆ及び突片２０ｅの外周２０ｆ´は、ビス２０を螺入方向（図７の矢印方向）に回転した際、前記本体１２に形成された突部４０の傾斜面４０ａと接触しながら回転できるように構成されている。また、突片２０ｅには、停止部２０ｇが形成されており、螺入した状態のビス２０を開放方向に螺退させると、停止部２０ｇが前記突部４０の停止壁４０ｂに突き当たって回転できないようになっている。この場合、図１１に示すように、開放方向（矢印方向）に無理に回転しようとすると、突片２０ｅは折損する等、破断してしまう。
【００４３】
上記したような構成によれば、連通孔１３の開口部分から注出方向に沿って球形の弾性体５０を封入し、収容部１５に弾性体５０を保持させた後、連通孔１３に形成された雌ネジ部１６にビス２０を螺入する。ビス２０は、プラス型ドライバのような治具を溝２０ｂ´に差し込み、回転操作することで注出方向に沿って移動（螺進）する。そして、ビス２０が螺入して行くに従い、ビスの当接面２０ｃは収容部１５に保持されている弾性体５０に当接し、弾性体５０を強制的に押圧（圧縮）して弾性変形させるようになる。そして、更にビスを螺入して行くと、ビス２０は、注出方向に沿って移動し、弾性体５０には、上方から均一で確実な押圧力が作用するようになり、収容部１５の内周面１５ａから中心方向に向かって、均一で確実な押圧力が作用するようになる。また、この際、ビス２０の突片２０ｅ間の外周２０ｆ及び突片２０ｅの外周２０ｆ´は、本体１２に形成された突部４０の傾斜面４０ａと接触しながら回転することができ、突片２０ｅは折損等することはない。そして、最終的に、ビス２０が螺入されると、図９及び図１０に示すように、スパウト１０の本体１２の露出面２７側は略平坦状となり、この状態で、図６に示したように、一対のシート２ａが溶着面１１に溶着され、スパウト付き収容体が完成する。
【００４４】
上記した構成において、螺入した状態のビス２０を開放方向に螺退させると、停止部２０ｇが前記突部４０の停止壁４０ｂに突き当たって回転できず、図１１に示すように、開放方向（矢印方向）に無理に回転しようとすると、突片２０ｅは折損する等、破断してしまい、その開放状態を確認することができるようになる。すなわち、開放行為が形状変化した変化部（突片２０ｅ）によって確認できるため、収容物に対する不正な行為が防止でき、収容物のバージン性が保証されるようになる。
【００４５】
なお、上記した実施形態では、変化部（２０ｅ）は、ビス側に形成したが、本体１２側に形成しても良いし、両者に形成しても良く、その構成や、破損する形態については、適宜変形することが可能である。
【００４６】
以上、本発明の実施形態について説明したが、本発明は、上記した実施形態以外にも、例えば、以下のように種々変形することが可能である。
【００４７】
上記した構成では、ビス２０は、ドライバのような治具によって、連通孔１３の雌ネジ部１６に螺合させているが、手動によって螺合するように構成しても良い。すなわち、ビス２０に、回転操作が行なえるように突部材を形成したり、上方に突出する口部を形成しておくことにより、治具等を用いることなく、螺合操作することが可能となる。
【００４８】
また、本体１２は、連通孔１３の他方側にも雌ネジ部を形成したり、反対側に露出面２７に対向して同様な露出面を形成したり、或いはその露出面にも穴部３４を形成する等、適宜変形することが可能である。また、ビス２０が螺入されない側の連通孔１３の開口部分に、収容部を封止する封止壁を形成しておいても良い。このような構成によれば、本体１２に上下方向の方向性がなくなるため、弾性体５０の封入作業やシート材の溶着作業を容易に行なうことが可能になるとともに、前記封止壁（或いはビス２０）によって、収容体内の収容物が弾性体５０に接触することを防止できる。
【００４９】
また、上記した構成の収容部１５は、封入された弾性体を、針が刺し込まれる中心方向に向けて押圧する構成であれば良く、別途、押圧部を形成しておく等、その形状や押圧方法については、適宜変形することが可能である。また、封入される弾性体５０や収容部１５の形状、及びビス２０の圧接部の形状についても適宜変形することが可能である。
【００５０】
さらに、上記した第２の実施形態では、バージン性を保証するために、ビス２０に変化部を形成したが、このような変化部を形成することなく、ビスを開放できないように構成しても良い。例えば、治具によってビスを回転操作するための溝部を、螺入方向には回転でき、螺退方向には回転できないような形状にしておいても良い。
【図面の簡単な説明】
【００５１】
【図１】スパウト付き収容体の第１の実施形態を示す図であり、（ａ）はスパウト付き収容体の構成を示す上面図、（ｂ）は側面図。
【図２】スパウト付き収容体におけるスパウトの斜視図。
【図３】スパウトの分解斜視図。
【図４】弾性体を封入する状態を示すスパウトの中央断面図。
【図５】弾性体を封入した状態を示すスパウトの中央断面図。
【図６】スパウトに対するシート材の溶着工程の概略を示す図。
【図７】本発明の第２の実施形態を示す図であり、スパウトの分解斜視図。
【図８】弾性体を封入する状態を示すスパウトの中央断面図。
【図９】弾性体を封入した状態を示すスパウトの中央断面図。
【図１０】ビスを螺入した状態を示すスパウトの斜視図。
【図１１】変化部が折損した状態を示す平面図。
【符号の説明】
【００５２】
１  スパウト付き収容体
２ａ  シート材
１０  スパウト
１１  溶着面
１２  本体
１３  連通孔
１５  収容部
１５ａ  内周面（壁部）
１６  雌ネジ部
２０  ビス
２０ｅ  突片（変化部）
２７  露出面
３４  穴部
４０  突部
５０  弾性体
６０  治具
【図１】
2006044790.tif 000003
【図２】
2006044790.tif 000004
【図３】
2006044790.tif 000005
【図４】
2006044790.tif 000006
【図５】
2006044790.tif 000007
【図６】
2006044790.tif 000008
【図７】
2006044790.tif 000009
【図８】
2006044790.tif 000010
【図９】
2006044790.tif 000011
【図１０】
2006044790.tif 000012
【図１１】
2006044790.tif 000013